(57)【要約】
【課題】　回動軸が断裂しても加圧部が回動することができ、フレキシブル回路基板に対する圧接効果を維持するコネクタを提供すること。
【解決手段】　一半部に低段部１３を有する座体１０と、座体１０を貫通する多数の端子２０と、低段部１３の上方に装着された蓋体３０を備え、端子２０は、低段部１３上面の差し込み溝１１へ嵌合される接触アーム２１と、その上方に位置する支持アーム２２を有し、蓋体３０の両端に、座体１０に軸着される軸突起３１を形成し、蓋体３０には、支持アーム２２の先端部が回動可能に係合することによって、蓋体３０の位置を規制する透孔３２を形成すると共に、支持アーム２２の下面定位置に当接する回動部を設け、蓋体３０が閉じたとき、フレキシブル回路基板を接触アームに圧接する加圧部を回動部の下方に形成してある。
【選択図】　　図２
0003099102.tif 000002
【実用新案登録請求の範囲】
【請求項１】
一半部に低段部を有すると共に、他半部に前記低段部から連続する貫通部を形成した座体と、前記座体の貫通部に挿通されて両端が露出する多数の端子と、前記座体の低段部の上方に開閉自在に装着された蓋体とを備え、前記低段部の上面に多数の差し込み溝を平行に形成し、前記端子は、前記差し込み溝内へそれぞれ嵌合される接触アームと、該接触アームの上方に位置して前記貫通部の上面に接触する支持アームと、前記接触アームと支持アームを接続する接続部とを有し、前記蓋体の両端に、前記座体に軸着される軸突起を形成し、前記蓋体には、前記支持アームの先端部が回動可能に係合することによって、蓋体の位置を規制する透孔を形成すると共に、該透孔の周面上端に、前記支持アームの下面の定位置に回動可能に当接する回動部を設け、前記蓋体が閉じたとき、前記端子の接触アームと該蓋体との間に挿入したフレキシブル回路基板を、前記接触アームに圧接する加圧部を前記回動部の下方に形成したことを特徴としたコネクタ。
【請求項２】
前記支持アームの先端に、円弧状の外周面を有する支持部を形成した請求項１に記載のコネクタ。
【請求項３】
前記回動部の外周面が略円弧状の凸面であり、前記定位置が前記支持部の基部下面に形成された滑らかな凹面であり、前記回動部の凸面が前記定位置に回動自在に係合している請求項２に記載のコネクタ。
【請求項４】
前記接触アームの支持アームと対向する面に、フレキシブル回路基板と電気的に接続される接触突起が形成された請求項２又は３に記載のコネクタ。
【請求項５】
前記加圧部は、前記支持部の中心と前記接触突起とを結ぶ直線よりも外側の軌道上を回動する請求項４に記載のコネクタ。
【請求項６】
前記座体の前記低段部を挟んだ両側面に、前記蓋体の軸突起と係合する軸溝を形成し、これら軸溝が形成された両側面部分を前記低段部に対して接離する方向へ変形可能とし、前記両側面の先端に、前記軸突起を導入する切欠部を形成すると共に、該切欠部から前記軸溝に向かって、前記軸突起を案内する傾斜面を形成した請求項１乃至５のいずれかに記載のコネクタ。
【考案の詳細な説明】
【技術分野】
【０００１】
　本考案は、フレキシブル回路基板用のコネクタに関する。
【背景技術】
【０００２】
　電子部品の小型化に対応し、係止用の爪や段部、或いはネジ止め等を必要とせずに電気的な接続状態を維持するコネクタが知られている（特許文献１参照）。
　このコネクタは、外殻等の回動支持部に支持され、接触端子に近い所定位置と離れた開放位置との間を回動する蓋状の加圧部を備える。また、加圧部は、所定位置に接近するよう回動すると、接触端子上に配置された可撓性基板を接触端子に向けて加圧する加圧突起を有する。この加圧突起は、加圧部が開放位置にあるとき、回動支持部の回動中心と接触端子の接触部とを結ぶ直線の外側に位置し、加圧部が回動して所定位置に達すると、前記直線を越えて内側に進入するようになっている。
【０００３】
【特許文献１】台湾特許第２３３３８２号明細書
【考案の開示】
【考案が解決しようとする課題】
【０００４】
　しかし、上記従来のコネクタは、加圧部が軸部の支持のみにより回動支持部に接続されているので、外れやすく、特に、加圧部の軸部に断裂が発生すると、コネクタ自体を交換しなければならない。しかも、軸部は、加圧部の曲げ性を有するアーム個所にあるが、加圧部そのものの体積が小さいため、アームの曲げ性が十分でなく、断裂の発生を防止できなかった。
　また、接触端子を外殻に組み込む際、微細な誤差のために端子の配列面を完全な平面に形成することが困難で、接触端子と加圧部とを十分に接触させにくいと言う問題もある。そして、誤差が大きい場合には、接触端子と加圧部とが干渉し合って、加圧部の軸部が定位置に収まらず、回動不能な状態になってしまうことがある。
　本考案の目的は、回動軸が断裂しても加圧部が回動することができ、フレキシブル回路基板に対する圧接効果を維持するコネクタを提供することにある。
【課題を解決するための手段】
【０００５】
　本考案のコネクタは、一半部に低段部を有すると共に、他半部に前記低段部から連続する貫通部を形成した座体と、前記座体の貫通部に挿通されて両端が露出する多数の端子と、前記座体の低段部の上方に開閉自在に装着された蓋体とを備え、前記低段部の上面に多数の差し込み溝を平行に形成し、前記端子は、前記差し込み溝内へそれぞれ嵌合される接触アームと、該接触アームの上方に位置して前記貫通部の上面に接触する支持アームと、前記接触アームと支持アームを接続する接続部とを有し、前記蓋体の両端に、前記座体に軸着される軸突起を形成し、前記蓋体には、前記支持アームの先端部が回動可能に係合することによって、蓋体の位置を規制する透孔を形成すると共に、該透孔の周面上端に、前記支持アームの下面の定位置に回動可能に当接する回動部を設け、前記蓋体が閉じたとき、前記端子の接触アームと該蓋体との間に挿入したフレキシブル回路基板を、前記接触アームに圧接する加圧部を前記回動部の下部に形成してある。
【０００６】
　蓋体を座体ｈｗ軸着する軸突起が破損しても、透孔と支持アームとの係合により蓋体の位置ずれが起きず、しかも、回動部が支持アームの定位置へ係合して、蓋体が回動自在に支持されているので、加圧部の回動は影響を受けない。
　透孔は支持アームの先端部が回動できる寸法を有するので、多少の寸法誤差は吸収され、蓋体と座体とは組立可能である。
【０００７】
　支持アームの先端に、円弧状の外周面を有する支持部を形成しても良い。この構成により、支持アームの先端部が透孔内でスムーズに回動する。
　この場合、前記回動部の外周面が略円弧状の凸面であり、前記定位置が前記支持部の基部下面に形成された滑らかな凹面であり、前記回動部の凸面が前記定位置に回動自在に係合することもある。
　確実にフレキシブル回路基板と接触するように、前記接触アームの支持アームと対向する面に、フレキシブル回路基板と電気的に接続される接触突起を形成すると良い。
【０００８】
　前記加圧部は、接触突起と干渉しあわずにスムーズに回動するように、前記支持部の中心と前記接触突起とを結ぶ直線よりも外側の軌道上を回動することが望ましい。
　前記座体の前記低段部を挟んだ両側面に、前記蓋体の軸突起と係合する軸溝を形成し、これら軸溝が形成された両側面部分を前記低段部に対して接離する方向へ変形可能とし、前記両側面の先端に、前記軸突起を導入する切欠部を形成すると共に、該切欠部から前記軸溝に向かって、前記軸突起を案内する傾斜面を形成すると、軸突起を簡単に軸溝へ係合させて、容易に蓋体を座体へ装着することができる。
【考案の効果】
【０００９】
　本考案によれば、支持アームの先端部と透孔とが係合して、蓋体の位置ずれが規制され、蓋体の回動部が支持アームの定位置に回動自在に係合しているので、蓋体を座体に軸着する軸突起が破損しても、蓋体は影響を受けることなくズムーズに回動し、蓋体に形成された加圧部はフレキシブル回路基板を接触アームへ圧接する効果を維持し、このため、コネクタ自体を交換しなくて済む。
　また、透孔は支持アームの先端部が回動できるようゆとりのある寸法を有するので、多少の寸法誤差があっても組み立てることができ、フレキシブル回路基板を接触アームへ確実に接続することが可能である。
【考案を実施するための最良の形態】
【００１０】
　以下、本考案の実施形態を図面に基づいて詳細に説明する。
　本考案のコネクタは、図１乃至図４に示すように、座体１０と、座体１０に多数配列された端子２０と、座体１０に回動自在に取り付けられた蓋体３０とを備える。
　座体１０はやや細長い矩形状をなし、その一半部には、一方の長辺に沿って低段部１３が形成され、座体１０の他半部には、低段部１３から連続して他方の長辺に至る貫通部１４が形成される。また、低段部１３の上面及び貫通部１４の底面には、両側の長辺間に亘って多数の差し込み溝１１が互いに平行に形成されている。
【００１１】
　低段部１３の両端には側壁１２が形成され、側壁１２の内面（低段部１３に面する側面）には、蓋体３０を支持する軸溝１２１が形成されている。また、側壁１２の下方には、一方の長辺側及び短辺側に開口する水平溝１２５が形成されると共に、側壁１２の基部内側には水平溝１２５が形成されて、図３の破線で示すように、側壁１２が低段部１３に対して接離する方向へ変形できるようになっている。
　さらに、側壁１２の内面先端には切欠部１２２が形成されると共に、切欠部１２２から軸溝１２１に向かって傾斜する傾斜面１２３が形成されている。
【００１２】
　端子２０は、図４に示すように、差し込み溝１１内に嵌合される接触アーム２１と、接触アーム２１の上方に位置する支持アーム２２と、接触アーム２１と支持アーム２２を接続する接続部２３とを有し、略Ｕ字形に形成される。
　この端子２０は、それぞれ座体１０の貫通部１４を通して、接触アーム２１及び支持アーム２２の先端部分が低段部１３側に露出するよう、各差し込み溝１１に沿って配置され、支持アーム２２は貫通部１４の上面に接触している。
　また、支持アーム２２の先端には、略円弧状の外周面を有する支持部２２１が形成され、支持部２２１の基部下面は滑らかに湾曲した凹面２２２となっている。
　さらに、接触アーム２１の支持アーム２２と対向する面の先端寄りには、接触突起２１１が形成される。
【００１３】
　蓋体３０は、座体１０の低段部１３の上方に回動自在に設置される。
　蓋体３０の両端面には、図２に示すように、円柱状の軸突起３１が張り出されている。そして、蓋体３０を座体１０の側壁１２間に挿入すると、軸突起３１が側壁１２の先端に形成された切欠部１２２へスムーズに係合し、変形可能な側壁１２が撓みながらその傾斜面１２３が軸突起３１を奥方へ案内するので、軸突起３１が側壁１２の軸溝１２１に係合し、蓋体３０は座体１０に回動自在に取り付けられる。軸突起３１が軸溝１２１に係合すると、変形可能な側壁１２は元の位置に復帰する。
【００１４】
　図４に示すように、蓋体３０の先端部（端子２０寄りの端部）の下端は、フレキシブル回路基板４０（図５乃至図７参照）を押圧する加圧部３４となっている。
　また、蓋体３０の各差し込み溝１１と対向する位置には、支持アーム２２の先端部と係合して、蓋体３０の開閉位置を規制する透孔３２がそれぞれ形成される。透孔３２は、その内部で支持アーム２２の先端部が回動できるように余裕のある寸法を有する。
　加圧部３４の上方において、透孔３２の先端寄り側面の上端には回動部３３が形成され、回動部３３の外周面は円弧状に湾曲した凸面３３１となっている。
【００１５】
　そして、蓋体３０を座体１０へ装着して、蓋体３０の軸突起３１を座体１０の軸溝１２１へ係合すると、支持アーム２２の先端部が透孔３２に進入し、蓋体３０の凸面３３１が、端子２０の支持アーム２２の先端寄り下面に形成された凹面２２２に係合する。
　支持アーム２２は、座体１０の貫通部１４の上面に接触して上方への移動が規制されており、蓋体３０の前後方向への摺動は、透孔３２へ係合した支持アーム２２によって規制されているので、回動部３３は支持アーム２２の凹面２２２に支持されて殆ど位置を変えることはなく、このため、軸突起３１が破損しても、凹面２２２と凸面３３１との係合部分がこれに変わって回動中心となり、蓋体３０の動作に影響を与えることはない。
　また、蓋体３０の挿入側と逆側の端部下面には、その中間部分を薄肉状に陥没させた施力部３５が形成され、蓋体３０を開閉させやすくなっている。
　さらに、蓋体３０の両端面において、座体１０の切欠部１２２と対応する位置に係止突起３６を形成し、蓋体３０を閉じたときに正確に位置決めできるようにする。
【００１６】
　フレキシブル回路基板４０を接続するには、図５に示すように、軸突起３１を中心に蓋体３０を上方の開放位置まで回動させ、座体１０の低段部１３の上面を完全に開放する。
　この状態では、蓋体３０の凸面３３１が支持アーム２２の凹面２２２に対して回転し、透孔３２の軸方向が支持アーム２２とほぼ平行となって、支持アーム２２の先端部が深く透孔３２へ挿入され、蓋体３０の加圧部３４が接触アーム２１から遠ざかる。
【００１７】
　次いで、フレキシブル回路基板４０を座体１０の低段部１３に挿入して、接触アーム２１と支持アーム２２との間に差し込み、その後、図６に示すように、蓋体３０を下方へ回動させると、回動部３３は支持アーム２２に対する係合位置を変えずに回転し、蓋体３０の加圧部３４が次第にフレキシブル回路基板４０に接近する。
　また、透孔３２はゆとりのある寸法に形成されており、支持アーム２２の先端に形成された支持部２２１は円弧状の外周面を有するので、支持部２２１は透孔３２の回転によって干渉を受けることがなく、滑らかに相対的な回動を行う。
【００１８】
　図７に示すように、蓋体３０が完全に閉じ位置まで回動すると、蓋体３０の加圧部３４がフレキシブル回路基板４０に対してほぼ直角に圧接し、フレキシブル回路基板４０を下方に位置する接触アーム２１の接触突起２１１へ押し付け、この結果、フレキシブル回路基板４０と端子２０とが電気的に接続される。
　そして、加圧部３４が開放位置から閉鎖位置へ回動する時、加圧部３４は、支持部２２１の中心と接触突起２１１とを結ぶ直線Ｌを越えて内側へ進入しないので、接触突起２１１と干渉し合わずスムーズに回動する。
【図面の簡単な説明】
【００１９】
【図１】本考案の実施形態を示すコネクタの斜視図。
【図２】同上の分解斜視図。
【図３】同上の平面図。
【図４】同上の断面図
【図５】蓋体が開放状態にあるコネクタの断面図。
【図６】フレキシブル回路基板が挿入され、蓋体が閉鎖途中にあるコネクタの断面図。
【図７】フレキシブル回路基板が接続された状態のコネクタの断面図。
【符号の説明】
【００２０】
　１０　座体
　１１　差し込み溝
　１２　側壁
　１２１　軸溝
　１２２　切欠部
　１２３　傾斜面
　１２４　スリット
　１２５　水平溝
　１３　低段部
　１４　貫通部
　２０　端子
　２１　接触アーム
　２１１　接触突起
　２２　支持アーム
　２２１　支持部
　２２２　凹面
　２３　接続部
　３０　蓋体
　３１　軸突起
　３２　透孔
　３３　回動部
　３３１　凸面
　３４　加圧部
　３５　施力部
　３６　係止突起
　４０　フレキシブル回路基板
【図１】
0003099102.tif 000003
【図２】
0003099102.tif 000004
【図３】
0003099102.tif 000005
【図４】
0003099102.tif 000006
【図５】
0003099102.tif 000007
【図６】
0003099102.tif 000008
【図７】
0003099102.tif 000009